(57)【要約】【課題】  スピーカを耳から離した場合でも、通話相手が発話していること、或いは、その内容を知ることのできる機構を備えた携帯電話端末の提供。【解決手段】          携帯電話端末は、表示部７と、報知部８と、受話用スピーカ９が操作者から所定距離以上離れたか否かを検知する検知部４と、受信した音声データを文字データに変換する音声−文字変換部５、６と、制御部１３と、を備える。音声通話中に、受話用スピーカ９が操作者から所定距離以上離れた状態で、音声データを受信した場合、制御部１３は、報知部８から報知動作を行うとともに、音声−文字変換部５、６を起動し、表示部７に文字形式で音声データを出力する。【選択図】            図１
2006245919.tif 000002
【特許請求の範囲】
【請求項１】
受話用スピーカが操作者から所定距離以上離れたか否かを検知する検知部と、
音声通話中に、前記受話用スピーカが操作者から所定距離以上離れた場合において、音声データを受信した場合に、所定の報知動作を行う制御部と、を備えたこと、
を特徴とする携帯電話端末。
【請求項２】
表示部と、
受話用スピーカが操作者から所定距離以上離れたか否かを検知する検知部と、
受信した音声データを文字データに変換する音声−文字変換部と、
音声通話中に、前記受話用スピーカが操作者から所定距離以上離れた場合に、前記音声−文字変換部を起動し、前記表示部に文字形式で音声データを出力する制御部と、を備えたこと、
を特徴とする携帯電話端末。
【請求項３】
前記制御部は、文字変換した音声データと通話先情報とを、前記表示部のそれぞれ所定の表示領域に別個に出力すること、
を特徴とする請求項２に記載の携帯電話端末。
【請求項４】
音声通話中に、前記受話用スピーカが操作者から所定距離以上離れた場合において、音声データを受信した場合に、前記制御部は、所定の報知動作を行うこと、
を特徴とする請求項２又は３に記載の携帯電話端末。
【請求項５】
更に、音声パターンデータを保存する記憶部と、
前記音声パターンデータを自動的に相手側へ送信する自動応答部と、を備えたこと、
を特徴とする請求項１乃至４いずれか一に記載の携帯電話端末。
【請求項６】
更に、複数の音声パターンデータを保存する記憶部と、
現在使用中の機能に応じて選択された音声パターンデータを自動的に相手側へ送信する自動応答部と、を備えたこと、
を特徴とする請求項１乃至４いずれか一に記載の携帯電話端末。
【請求項７】
更に、通話先からの音声データの受信後の前記自動応答部の動作タイミングを設定するタイマを備えたこと、
を特徴とする請求項５又は６に記載の携帯電話端末。
【請求項８】
ＤＴＭＦ（Ｄｕａｌ  Ｔｏｎｅ  Ｍｕｌｔｉ  Ｆｒｅｑｕｅｎｃｙ）信号を受信するＤＴＭＦ判定部と、
通話先からの音声データを記録する記憶部と、を備え、
前記受話用スピーカが操作者から所定距離以上離れた場合において更に、通話先から所定のＤＴＭＦ信号を受信した場合には、前記制御部は、爾後送られる通話先からの音声データを前記記憶部に保存すること、
を特徴とする請求項１乃至７いずれか一に記載の携帯電話端末。
【請求項９】
前記検知部を近接センサ又は接触センサで構成したこと、
を特徴とする請求項１乃至８いずれか一に記載の携帯電話端末。
【請求項１０】
前記音声−文字変換部は、
通話先の音声データを音声認識する音声認識部と、
前記音声認識結果を文字データに変換する文字変換部と、から構成されること、
を特徴とする請求項２乃至９いずれか一に記載の携帯電話端末。
【請求項１１】
前記受話用スピーカは、骨伝動スピーカであること、
を特徴とする請求項１乃至１０いずれか一に記載の携帯電話端末。
【請求項１２】
少なくとも、音声通話中に、受話用スピーカが操作者から所定距離以上離れたか否かを検知する検知部を備えた携帯電話端末に実行させるプログラムであって、
音声通話中に、前記受話用スピーカが操作者から所定距離以上離れたか否かを監視する処理と、
音声通話中に、前記受話用スピーカが操作者から所定距離以上離れた場合において、音声データを受信した場合に、所定の報知動作を行う処理と、
を前記携帯電話端末に実行させるプログラム。
【請求項１３】
少なくとも、表示部と、受話用スピーカが操作者から所定距離以上離れたか否かを検知する検知部と、受信した音声データを文字データに変換する音声−文字変換部と、を備えた携帯電話端末に実行させるプログラムであって、
音声通話中に、前記受話用スピーカが操作者から所定距離以上離れたか否かを監視する処理と、
音声通話中に、前記受話用スピーカが操作者から所定距離以上離れた場合に、前記音声−文字変換部を起動し、前記表示部に文字形式で音声データを出力する処理と、
を前記携帯電話端末に実行させるプログラム。
【請求項１４】
前記文字変換された音声データと通話先情報とを、前記表示部上のそれぞれ所定の領域に別個に出力すること、
を特徴とする請求項１３に記載のプログラム。
【請求項１５】
音声通話中に、前記受話用スピーカが操作者から所定距離以上離れた場合において、音声データを受信した場合に、所定の報知動作を行う処理を、
前記携帯電話端末に実行させる請求項１３又は１４に記載のプログラム。
【請求項１６】
前記携帯電話端末が、音声パターンデータを保持する場合において、
更に、前記音声パターンデータを自動的に相手側へ送信する処理を、
前記携帯電話端末に実行させる請求項１２乃至１５いずれか一に記載のプログラム。
【請求項１７】
前記携帯電話端末が、複数の音声パターンデータを保持する場合において、
入力部を介して選択された音声パターンデータを自動的に相手側へ送信する処理を、
前記携帯電話端末に実行させる請求項１２乃至１５いずれか一に記載のプログラム。
【請求項１８】
更に、入力部を介して時間情報の入力を受け付ける処理を前記携帯電話端末に実行させるとともに、
通話先からの音声データの受信後、前記時間情報に定められた時間の経過後に、前記音声パターンデータの送信を行うこと、
を特徴とする請求項１６又は１７に記載のプログラム。
【請求項１９】
前記携帯電話端末が、ＤＴＭＦ（Ｄｕａｌ  Ｔｏｎｅ  Ｍｕｌｔｉ  Ｆｒｅｑｕｅｎｃｙ）信号を受信するＤＴＭＦ判定部と、通話先からの音声データを記録する記憶部と、を備える場合において、
前記受話用スピーカが操作者から所定距離以上離れた場合において更に、通話先から所定のＤＴＭＦ信号を受信した場合には、爾後送られる通話先からの音声データを前記記憶部に保存する処理を、
前記携帯電話端末に実行させる請求項１２乃至１８いずれか一に記載のプログラム。
【請求項２０】
少なくとも、受話用スピーカが操作者から所定距離以上離れたか否かを検知する検知部を備えた携帯電話端末に実行させる音声データ受信の報知方法であって、
前記検知部が、音声通話中に、前記受話用スピーカが操作者から所定距離以上離れたか否かを監視するステップと、
音声通話中に、前記受話用スピーカが操作者から所定距離以上離れた場合において、音声データを受信した場合に、前記携帯電話端末が、所定の報知動作を行うステップを、を含むこと、
を特徴とする音声データ受信の報知方法。
【請求項２１】
少なくとも、表示部と、受話用スピーカが操作者から所定距離以上離れたか否かを検知する検知部と、受信した音声データを文字データに変換する音声−文字変換部と、を備えた携帯電話端末に実行させる通話音声の出力方法であって、
前記検知部が、音声通話中に、前記受話用スピーカが操作者から所定距離以上離れたか否かを監視するステップと、
音声通話中に、前記受話用スピーカが操作者から所定距離以上離れた場合は、前記音声−文字変換部が、前記表示部に文字形式で音声データを出力するステップと、を含むこと、
を特徴とする通話音声の出力方法。
【請求項２２】
音声通話中に、前記受話用スピーカが操作者から所定距離以上離れた場合において、音声データを受信した場合に、前記携帯電話端末が、所定の報知動作を行うステップを、含むこと、
を特徴とする請求項２１に記載の通話音声の出力方法。
【発明の詳細な説明】
【技術分野】
【０００１】
本発明は、携帯電話端末、音声データ受信の報知方法、通話音声の出力方法、及び、プログラムに関し、特に、操作者の手元を離れた間に相手から発話があったことを知らせる携帯電話端末、方法、及び、プログラムに関する。
【背景技術】
【０００２】
携帯電話端末にて音声通話中に、保存しているユーザ情報、アドレス帳、メモ、電子メールの内容を見るため、携帯電話端末を耳元から離し、端末操作を行うことがある。また、単に別の作業をするために、会話中に携帯電話端末を机に置くなど手元から離す場合もある。この様な携帯電話端末が操作者の手元から離れた位置にあるとき、通話相手が発した言葉を聞くことはできない。
【０００３】
そこで、離れていても聞こえるような音量で音声を出力するいわゆるハンズフリー機能を備えた携帯電話端末が知られている。例えば、特開平１０−２８１６９号公報には、人体検知センサを備え、操作者（人体）が携帯電話機から離れているときにはハンズフリー機能を有効化し、会話を続けることのできる様にした携帯電話機が提案されている。
【０００４】
【特許文献１】特開平１０−２８１６９号公報
【発明の開示】
【発明が解決しようとする課題】
【０００５】
しかしながら、上記ハンズフリー機能には、通話内容が外部の他人にも漏れ聞こえてしまい、他人に聞かれたくない内容を話す場合には利用が憚られるという問題点がある。また、周囲の雑音がひどく聞き取りづらい場所や周りに迷惑をかける場所では使用できないという問題点もある。また、上記特許文献１に記載の携帯電話機にしても、上記ハンズフリー機能を利用するものであるため、人混みや公共の場所ではオフ設定にせざるを得ず、結局、携帯電話端末を手元から離している間に通話相手が話していることすら把握できなくなってしまう。
【０００６】
本発明は、上記した事情に鑑みてなされたものであって、その目的とするところは、スピーカを耳から離した場合でも、通話相手が発話していること、或いは、その内容を知ることのできる機構を備えた携帯電話端末、音声データ受信の報知方法、通話音声の出力方法、及び、該携帯電話端末において実行させるプログラムを提供することにある。
【課題を解決するための手段】
【０００７】
本発明の第１の視点によれば、表示部と、受話用スピーカが操作者から所定距離以上離れたか否かを検知する検知部と、音声通話中に、前記受話用スピーカが操作者から所定距離以上離れた場合において、音声データを受信した場合に、所定の報知動作を行う制御部と、を備えたことを特徴とする携帯電話端末が提供される。また本発明の第２の視点によれば、上記携帯電話端末に実行させる音声データ受信の報知方法が提供される。
【０００８】
また、本発明の第３の視点によれば、表示部と、受話用スピーカが操作者から所定距離以上離れたか否かを検知する検知部と、受信した音声データを文字データに変換する音声−文字変換部と、音声通話中に、前記受話用スピーカが操作者から所定距離以上離れた場合に、前記音声−文字変換部を起動し、前記表示部に文字形式で音声データを出力する制御部と、を備えたこと、を特徴とする携帯電話端末が提供される。また本発明の第４の視点によれば、上記携帯電話端末に実行させる通話音声の出力方法が提供される。
【０００９】
また、本発明の第５の視点によれば、上記した各携帯電話端末に実行させるプログラムが提供される。
【発明の効果】
【００１０】
本発明によれば、場所や会話内容を気にすることなく、操作等をするために携帯電話端末を耳元から離した場合、別の作業等をするために携帯電話端末を手元から離す場合いずれの場合にも、相手が発話したこと、或いは、その内容をリアルタイムに認識することができる。
【発明を実施するための最良の形態】
【００１１】
続いて、本発明を実施するための最良の形態について図面を参照して詳細に説明する。［第１の実施形態］
本実施形態は、携帯電話端末に、音声通話中に操作者（以下、携帯電話端末ユーザを操作者という。）が携帯電話端末を耳元から離した場合に通話相手の音声を文字にて表示する第１の機能と、そのことを操作者に報知する第２の機能を併有したことを特徴としている。
【００１２】
図１は、本発明の第１の実施形態に係る携帯電話端末の構成を表したブロック図である。図１を参照すると、携帯電話網から信号を受信及び送信するためのアンテナ１と、アンテナ１から送受信するデータの復調又は変調をする送受信部２と、音声処理部３と、検知部４と、音声認識部５と、文字変換部６と、表示部７と、報知部８と、スピーカ９と、マイク１０と、キー入力部１１と、記憶部１２と、これらを制御する制御部１３を備えた携帯電話端末が示されている。
【００１３】
この携帯電話端末は、狭義の携帯電話でなく、電話機能を備えた各種携帯端末であってもよい。
【００１４】
音声処理部３は、送受信部２で復調又は変調した音声データの復号若しくは符号化をする。また、音声処理部３は、検知部４からの信号に応じ、音声認識部５又はスピーカ９のいずれかに音声データを送る。
【００１５】
検知部４は、携帯電話端末と操作者との物理的距離を検知するセンサであって、少なくとも携帯電話端末を耳に当てている（若しくは近づけている場合も含む）状態と、それ以外の状態（キー入力部１１によるキー操作を行ったり、表示部７に表示される画面を見たりする為に、携帯電話端末を耳から遠ざけている場合）を区別して検知する。例えば、受話スピーカ近傍に配設されるセンサで構成され、携帯電話端末と耳との距離を“近”と検知したとき、音声処理部３に対して“０”信号を出力し、携帯電話端末と耳との距離を“遠”と検知したとき、音声処理部３に対して“１”信号を出力する。このセンサとしては、温度変化や赤外線感知等によるいわゆる人感センサ（特許文献１に記載された反射型光電近接センサや静電容量型近接センサを含む）、携帯通信端末と通話者が接触しているか否かを検出する接触センサ、通話中はセンサが影になることを利用した明暗センサ、通話中の携帯電話端末の傾きと画面を見ながら操作中の携帯電話端末の傾きが異なることを利用した傾きセンサ等を用いることができる。
【００１６】
音声認識部５と文字変換部６は、音声−文字変換部を構成する。より詳細には、音声認識部５は、音声処理部３にて復号化した通話相手の音声データを言葉として認識する公知の音声認識手段であり、文字変換部６は、音声認識部５で言葉として認識した音声データを文字に変換する公知の処理手段である。
【００１７】
表示部７は、携帯電話端末に備えられる液晶ディスプレイ等であり、文字変換部６にて文字変換した音声データの出力先となる。スピーカ９は、携帯電話端末に備えられる受話用のスピーカであり、マイク１０は、操作者側から発話した音声を入力するためのものである。
【００１８】
また、このスピーカ９として、いわゆる骨電動スピーカを用いることもできる。骨電動スピーカを採用する場合は、後の説明で明らかになるように、通話相手からの音声を文字形式で表示する機能と相俟って、騒がしい環境で用いる場合や、聴覚に不安を覚える者が用いる場合に好適な構成となる。
【００１９】
報知部８は、操作者に音、光、振動、表示等で知らせるためのスピーカ、ＬＥＤ（Ｌｉｇｈｔ  Ｅｍｉｔｔｉｎｇ  Ｄｉｏｄｅ）、バイブレータ、液晶ディスプレイ、ピクト表示デバイス等の各種装置である。
【００２０】
キー入力部１１は。ＯＮ／ＯＦＦフック、文字や数字の入力、カーソル移動等を行うためのボタン、ポインティングデバイス等である。また、記憶部１２は、ユーザ情報、アドレス帳、メモ、電子メール等の各種情報を保存するメモリである。
【００２１】
続いて、本実施形態に係る携帯電話端末の動作について図面を参照して詳細に説明する。図２は、本実施形態に係る携帯電話端末の動作を表したフローチャートである。まず、アンテナ１において携帯電話網の基地局から送信される電波をキャッチし、音声呼の着信があり（ステップＳ１０１）、制御部１３は、操作者がＯＮフックしたタイミングで検知部４を駆動させ、遠近検知を開始する（ステップＳ１０２）。
【００２２】
そして音声通話が開始されると（ステップＳ１０３）、近接状態の確認が行われる（ステップＳ１０４）。この時、操作者が携帯電話端末をすぐに耳側へ移動させていれば、検知部４は、携帯電話端末を耳に当てていると検知し、音声処理部３に対して“０”信号を送出する（ステップＳ１０４のＹＥＳ）。検知部４からの信号が“０”であれば、通常の通話と同様音声通話が継続される（ステップＳ１０３）。この間、制御部１３は、入力した音声データを音声処理部３にて復号、Ｄ／Ａ変換、増幅等の音声処理をした後、スピーカ９より外部出力するとともに、マイク１０より入力した音声を音声処理部３にてＡ／Ｄ変換、符号化等の音声処理を施した後、送受信部２に送り、変調処理後アンテナ１より送信する。
【００２３】
上記音声通話中に、操作者が、記憶部１２に保存してあるユーザ情報、アドレス帳、メモ、電子メール等の内容を確認するために、会話を一旦止め、携帯電話端末を耳の位置から離し、表示部７を見ながら操作をする様な場合、或いは、会話が終了し携帯電話端末を耳の位置から離すような場合、操作者が本携帯電話端末を耳から離した時点で、検知部４は、携帯電話端末と操作者との距離を“遠”と検知し、音声処理部３に“１”信号を送出する（ステップＳ１０４のＮＯ）。
【００２４】
ここで、通常の終話時のように、携帯電話端末と操作者との距離を“遠”と検知したが、続いて、操作者がキー入力部１１より終話ボタンを押下した場合（ステップＳ１０５のＹＥＳ）、制御部１３は、検知部４の遠近検知を停止させ（駆動終了）、通話を終了する（ステップＳ１０６）。
【００２５】
一方、検知部４が携帯電話端末と操作者との距離を“遠”と検知したが、操作者がキー入力部１１の終話以外のキー操作を行ったり、表示部７に表示される内容を見たりしている場合（ステップＳ１０５のＮＯ）は、制御部１３は、相手からの音声データを受信しない限り、そのままキー操作や画面閲覧を継続できる状態を保持する（ステップＳ１０７のＮＯ）。
【００２６】
一方、検知部４が携帯電話端末と操作者との距離を“遠”と検知した状態において、相手側から音声データを受信があった場合（ステップＳ１０７のＹＥＳ）、制御部１３は、送受信部２から音声処理部３に出力された音声データは、検知部４からの信号が“１”であるので音声認識部５に出力される。また、報知部８は、音、光、振動、表示等の報知機構に応じた報知動作を開始し、携帯電話端末の操作者に対し相手からの音声受信があったことを通知する（ステップＳ１０８）。
【００２７】
一方、音声認識部５は、入力された音声データの音声認識を行う（ステップＳ１０９）。更に、文字変換部６は、音声認識部５で音声認識を行った認識結果に基いて音声データを対応する文字データに変換する（ステップＳ１１０）。そして制御部１３は、変換した文字データを表示部７に出力して文字表示させる（ステップＳ１１１）。
【００２８】
図３は、上記音声通話中に、検知部４が携帯電話端末と操作者との距離を“遠”と検知した状態にて通話相手が発話した際に、携帯電話端末の表示部７の表示される画面の一例を表した図である。図３に示したとおり、本実施形態に係る携帯電話端末の表示画面は、上記状態において、メイン表示エリアとサブ表示エリアに２分割される。
【００２９】
図３のメイン表示エリアには、操作者が利用している機能の画面が表示される。例えば、アドレス帳を起動しているのであればアドレス帳の画面がなされ、電子メール管理機能を利用しているのであれば、電子メール管理画面が表示される。一方、サブ表示エリアには、文字変換部６にて文字変換された通話相手が発した音声データが表示される。このように別々の領域に表示することで、音声データの表示により、操作者が閲覧していた内容が見えなくなってしまう事態が回避されている。従って、例えば、アドレス帳に格納された第３者の電話番号を確認したり、電子メールの内容を確認したりしながら、通話相手との会話に追従していくことができる。
【００３０】
ここで、操作者がキー操作を終了し、再び通話をするために携帯電話端末を耳に持っていくと、検知部４は、携帯電話端末が耳に近接したことを再び検知し、音声処理部３に対し“０”信号を送出する（ステップＳ１０４のＹＥＳ）。音声処理部３は、送受信部２から送られてきた通話相手の音声データの出力先を音声認識部５からスピーカ９に切り替え、通常の音声による会話を再開させる（ステップＳ１０３）。以降の処理は、先に記述した通りである。
【００３１】
以上説明したように、本実施形態においては、音声通話中に、操作者が携帯電話端末を耳元から離した状態を自動的に検知し、その間に、通話相手から音声データが送られてきた場合は、速やかにそのことを、操作者に報知することができるようになっている。従って、目的のアドレスや電子メールが見つからない等携帯電話端末を耳元から暫く離さなければならない状態に陥った場合等は、その旨を通話相手に、一旦知らせるよう操作者に促すことができる。
【００３２】
また、本実施形態においては、音声通話中に操作者が携帯電話端末を耳元から離しているか否かを自動判断し、その結果により音声データの出力態様を適切な形式に切り替えることが可能となっている。例えば、表示画面を見ながら別の操作をしている最中に、相手側から音声データが送られた場合、その音声データは文字に自動変換され表示される。従って、操作者は、相手からの通話内容を表示画面に表示された文字として読むことができ、携帯電話端末を耳元に戻せば、すぐスピーカ出力に切り替わるため、速やかに通常の通話に戻ることができる。
【００３３】
［第２の実施形態］
続いて、本発明の第２の実施形態について図面を参照して詳細に説明する。本実施形態は、上記第１の実施形態に、更に、自動応答機能を備えたことを特徴とする。
【００３４】
図４は、本発明の第２の実施形態に係る携帯電話端末の構成を表したブロック図である。図４を参照すると、本実施形態に係る携帯電話端末は、上記した第１の実施形態に係る携帯電話端末の構成に、更に、タイマ２１と、操作検出部２２と、音声パターン選択部２３と、を加えた構成となっている。以下、上記第１の実施形態と共通する事項は省略して説明する。
【００３５】
本実施形態においては、記憶部１２には、音声通話中に、携帯電話端末で利用可能な各機能のコード（識別情報）をヘッダとして付加した音声パターンが記憶されている。各音声パターンは、例えば、「現在アドレス帳操作中です。」、「現在電子メール閲覧中です。」等のメッセージであり、上記音声通話中に携帯電話端末で利用可能な各機能に対応する応答メッセージが用意される。
【００３６】
操作検出部２２は、現在携帯電話端末で利用されている機能を検出するための処理手段であり、音声パターン選択部２３は、操作検出部２２で検出した利用中機能に対応する音声パターンを選択する処理手段である。
【００３７】
また、タイマ２１は、通話相手から受信した音声データを文字変換し表示部７に表示してから、音声パターン選択部２３で選択した音声パターンを送信するまでの時間を保持する。その設定値は、例えば、規定値で３秒が設定されており、また、携帯電話端末の機能設定管理プログラムにより変更することが可能となっている。
【００３８】
続いて、本実施形態に係る携帯電話端末の動作について図面を参照して詳細に説明する。図５、図６は、本実施形態に係る携帯電話端末の動作を表したフローチャートである。本実施形態の動作は、上記第１の実施形態の動作に対して、ステップＳ２０１〜Ｓ２１２の処理を追加したものである。その他の処理については、第１の実施形態と同様であるためその相違部分のみを以下説明する。
【００３９】
まず、図５のフローチャートで、音声通話中に、操作者がキー操作等のため携帯電話端末を耳から離している場合で、相手側から音声データを受信し、その音声データを文字変換し、表示部７に出力して文字表示させた後（ステップＳ１１１）、制御部１３は、タイマ２１の動作を開始させる（ステップＳ２０１）。
【００４０】
タイマ２１の動作開始後、操作検出部２２にて、操作者が利用している機能、つまり、相手との通話を一時中断して利用している機能は何かが検出される（ステップＳ２０２）。例えば、メールの閲覧や作成をしていれば“メール操作”、アドレス帳を見ていれば“アドレス帳操作”が検出される。
【００４１】
続いて、音声パターン選択部２３が、記憶部１２に保存されている音声パターンデータの中から、検出した動作に対応する音声パターンデータを選択する（ステップＳ２０３）。より具体的には、音声パターン選択部２３は、操作検出部２２で検出された利用中機能のコード（識別情報）と、音声パターンデータのヘッダを照合して、該当する音声パターンデータを選択する。
【００４２】
続いて、検知部４により、携帯電話端末と操作者との遠近距離が確認される（ステップＳ１０４）。ここで、検知部４の出力信号が“０”（“近”検知）となっている場合には（ステップＳ２０４のＹＥＳ）、操作者が音声通話可能な状態になっているため、タイマ２１はクリア、駆動終了となり（ステップＳ２０５）、図５のステップＳ１０３に戻る。
【００４３】
一方、検知部４の出力信号が依然“１”（“遠”検知）となっている場合には（ステップＳ２０４のＮＯ）、制御部１３は、タイマが設定値に達しているか否かの満了確認を行う（ステップＳ２０６）。ここで、タイマ２１が設定値に達していた場合（ステップＳ２０６のＹＥＳ）、制御部１３は、タイマ２１をクリア、駆動を終了した後（ステップＳ２０７）、ステップＳ２０３で選択された音声パターンデータを送受信部２に出力し、アンテナ１より通話相手へと送信する（ステップＳ２０８）。通話相手側は、この音声パターンデータを受信し、操作者が置かれている状態を知ることができる。
【００４４】
また、上記ステップＳ２０６にて、タイマ２１が設定値に達していない場合（ステップＳ２０６のＮＯ）、通話相手からの音声データの受信、若しくは、マイク１０からの音声入力があったか否かが確認される（ステップＳ２０９）。ここで、通話相手からの音声データの受信、若しくは、マイク１０からの音声入力のいずれもない場合は（ステップＳ２０９のＮＯ）、タイマが満了待ち状態を保持すべく、ステップＳ２０４に戻る。
【００４５】
また、上記ステップＳ２０９にて、相手側からの音声データを受信した、若しくは、マイク１０から操作者により音声入力があった場合（ステップＳ２０９のＹＥＳ）、タイマ２１をクリア、駆動終了し（ステップＳ２１０）、音声パターンデータの送信は中止される。
【００４６】
次いで、中止要因がマイク入力であるか否かが確認され（ステップＳ２１１）、中止要因がマイク入力である場合は（ステップＳ２１１のＹＥＳ）、マイク１０から入力した音声データは、音声処理部３にてＡ／Ｄ変換、符号化等の音声処理を施した後、送受信部２に送られ、変調処理後アンテナ１より送信される（ステップＳ２１２）。
【００４７】
一方、中止要因がマイク入力でなく音声データの受信である場合（ステップＳ２１１のＮＯ）は、上記した第１の実施形態と同様の処理を行うべく、図５のステップＳ１０８に戻り、報知部８から報知動作が行われる（図５のステップＳ１０８）。以降の処理は上記した第１の実施形態と同様である。
【００４８】
このように、本実施形態では、上記した第１の実施形態の作用効果に加え、通話中に操作者が携帯電話端末を耳から離し別の操作をしているときに、相手側からの音声データの受信（問いかけ）があっても、それに対し操作者が通話相手へ何の応答もしなかった場合、通話相手に対し自動的に応答メッセージを返すことができるようになっている。従って、相手をいつまでも無言状態のまま待たせずに済むようになっている。
【００４９】
また、通話相手へ返される音声メッセージも、操作者が携帯電話端末を利用している機能によって自動的に選択されるため、通話相手に対し、操作者が何を行っているのか伝達することが可能となっている。
【００５０】
また、本実施形態では、通話相手からの音声データの受信があってから音声パターンを自動送信するまでの時間をタイマで制御している。例えば、タイマの設定時間を０秒とすれば、相手音声データを受信したら即音声パターンを送信することができる。また、タイマの設定時間を適当な時間を設定し、マイクから応答、又は、携帯電話端末を耳元まで持っていき通常会話に入るまでの時間を確保することもできる。
【００５１】
また、本実施形態では、携帯電話端末の利用中の機能に応じて、応答メッセージを自動選択するものとして説明したが、各応答メッセージをキー入力部１１の操作により選択できる様にしても良い。例えば、「１＃」で、「現在アドレス帳操作中です。」、「２＃」で、「現在電子メール閲覧中です。」、「９＃」で、「折り返し電話します。」等と応答メッセージを選択できるように、音声パターン選択部２３を構成しても良い。
【００５２】
［第３の実施形態］
続いて、本発明の第３の実施形態について図面を参照して詳細に説明する。本実施形態は、上記第１の実施形態に、更に、通話相手からのメッセージ録音機能を備えたことを特徴とする。
【００５３】
図７は、本発明の第３の実施形態に係る携帯電話端末の構成を表したブロック図である。図７を参照すると、本実施形態に係る携帯電話端末は、上記した第２の実施形態に係る携帯電話端末の構成に、更に、音声処理部３に接続するＤＴＭＦ判定部３１を加えた構成となっている。以下、上記第１、第２の実施形態と共通する事項は省略して説明する。
【００５４】
本実施形態においては、記憶部１２には、通話相手からの音声を録音する録音領域が設けられている。また、記憶部１２には「メッセージを録音する場合はシャープ“＃”を、録音を終了する場合はコメ印“＊”を押して下さい。」との音声パターンデータが保存されており、タイマ２１にて設定した所定時間後に、音声パターン選択部２３によって選択される上記メッセージが自動応答されるものとする。
【００５５】
また本実施形態においては、音声処理部３は復号した音声データをＤＴＭＦ判定部３１にも送る。ＤＴＭＦ判定部３１は、音声処理部３から送られた音声データが“録音開始”乃至”録音終了”を意味する既定のプッシュ音信号（ＤＴＭＦ信号；Ｄｕａｌ  Ｔｏｎｅ  Ｍｕｌｔｉ  Ｆｒｅｑｕｅｎｃｙ））であるか否かの判定を行う処理手段である。本実施形態では、通話相手がボタン“＃”を押下すると、“録音開始”を行い、ボタン“＊”を押下すると、“録音終了”を行うものとして説明する。
【００５６】
続いて、本実施形態に係る携帯電話端末の動作について図面を参照して詳細に説明する。図８は、本実施形態に係る携帯電話端末の動作を表したフローチャートである。図８のステップＳ３０１〜Ｓ３０７及びステップＳ３０９〜Ｓ３１２の動作は、図５のステップＳ１０１〜Ｓ１１１の動作と同等である。従って、本実施形態の動作は、上記第２の実施形態の動作に対して、ステップＳ３０８及びステップＳ３０８から分岐するステップ３１３〜Ｓ３１６の処理（メッセージ録音処理）を追加したものである。以下、第２の実施形態と相違部分のみを説明する。
【００５７】
まず、図８のフローチャートで、音声通話中に、操作者がキー操作等のため携帯電話端末を耳から離している場合で（ステップＳ３０４のＮＯ、ステップＳ３０５のＮＯ）、相手側から音声データを受信すると（ステップＳ３０７のＹＥＳ）、ＤＴＭＦ判定部３１において“録音開始”を意味するボタン”＃”に対応するＤＴＭＦ信号が入力されたか否かが判定される（ステップＳ３０８）。
【００５８】
ここで、“録音開始”を意味するボタン”＃”のＤＴＭＦ信号が検出されると（ステップＳ３０８のＹＥＳ）、制御部１３は、以降受信した音声データの保存を開始する（ステップＳ３１３）。
【００５９】
その後、ＤＴＭＦ判定部３１において“録音終了”を意味するボタン”＊”に対応するＤＴＭＦ信号が入力されたか否かが監視され（ステップＳ３１４）。ボタン”＊”が押下されるまで、通話相手から送られた音声データは記憶部１２に保存される（ステップＳ３１４のＮＯ）。
【００６０】
一方、ＤＴＭＦ判定部３１で“録音終了”を意味するボタン”＃”のＤＴＭＦ信号が検出されると（ステップＳ３１４のＹＥＳ）、音声データの保存を終了し（ステップＳ３１５）、次いで、制御部１３は、表示部７に録音データがあることを示すピクトを表示させる等の放置動作を行う（ステップＳ３１６）。この際の報知方法としては、上述した報知部８、スピーカ９を用いて、音、光、振動等で報知することとしてもよい。
【００６１】
その後は、ステップＳ３０４に戻り、上述した第１、第２の実施形態と同様の処理が行われる。また、上記記憶部１２の録音領域に保存された音声データは、キー入力部１１から所定のキー操作することで再生することができる。
【００６２】
このように、本実施形態では受信したプッシュ音信号を判定する手段を用意して、録音機能を実現している。このため、上記した第１の実施形態の作用効果に加え、通話中に操作者が携帯電話端末を耳から離し別操作をしているとき、通話相手はメッセージを録音することによっても、操作者へ伝達したい内容を伝えることができる。
【００６３】
また、本実施形態では、ボタン”＃”にて録音開始され、ボタン”＊”にて録音終了するものとして説明したが、音声メッセージの受信がないまま（ステップＳ３０７のＮＯ）所定時間経過後に自動的に録音開始動作を行うものとしてもよい（ステップＳ３０７のＮＯで、タイマが動作し所定時間経過後にステップＳ３１３にジャンプする）。
【００６４】
また同様に、音声データの録音開始後、所定時間経過後に自動的に録音開始動作を行うものとしてもよい（ステップＳ３１３と同時にタイマを動作させ、ステップＳ３１５でタイマ満了を判定する）。また同様に、音声データの録音開始後、無音時間を検出された場合、又は、通話相手からの音声データのレベル（音量）が所定値以下となった場合に、自動的に録音終了動作を行うものとしてもよい。
【００６５】
以上本発明の好ましい実施形態を説明したが、その原理からも明らかなとおり、本発明の技術的範囲は、上述した各実施形態に限定されるものではなく、検知部を備えて、操作者が直接耳から音声を聞くことができない間の音声データをモニタし、適宜、操作者にその結果を知らせるという本発明の要旨を逸脱しない範囲で、各種の変形・置換をなしうることが可能であることはいうまでもない。
【図面の簡単な説明】
【００６６】
【図１】本発明の第１の実施形態に係る携帯電話端末の構成を表したブロック図である。
【図２】本発明の第１の実施形態に係る携帯電話端末の動作を表したフローチャートである。
【図３】本発明の第１の実施形態に係る携帯電話端末において表示される画面の一例である。
【図４】本発明の第２の実施形態に係る携帯電話端末の構成を表したブロック図である。
【図５】本発明の第２の実施形態に係る携帯電話端末の動作を表したフローチャートである。
【図６】本発明の第２の実施形態に係る携帯電話端末の動作を表したフローチャートである。
【図７】本発明の第３の実施形態に係る携帯電話端末の構成を表したブロック図である。
【図８】本発明の第３の実施形態に係る携帯電話端末の動作を表したフローチャートである。
【符号の説明】
【００６７】
１  アンテナ
２  送受信部
３  音声処理部
４  検知部（位置検知部）
５  音声認識部
６  文字変換部
７  表示部
８  報知部
９  スピーカ
１０  マイク
１１  キー入力部
１２  記憶部
１３  制御部
２１  タイマ
２２  操作検出部
２３  音声パターン選択部
３１  ＤＴＭＦ（Ｄｕａｌ  Ｔｏｎｅ  Ｍｕｌｔｉ  Ｆｒｅｑｕｅｎｃｙ）判定部
【図１】
2006245919.tif 000003
【図２】
2006245919.tif 000004
【図３】
2006245919.tif 000005
【図４】
2006245919.tif 000006
【図５】
2006245919.tif 000007
【図６】
2006245919.tif 000008
【図７】
2006245919.tif 000009
【図８】
2006245919.tif 000010